(57)【特許請求の範囲】
【請求項１】
ランダムデータをＱＰＳＫあるいはＱＡＭ変調したＯＦＤＭ信号のキャリアを複素数データとするステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にカードインターバルとして付加するステップと、前記ガードインターバルを付加したＯＦＤＭ信号を４倍の周波数にアップサンプルするステップと、前記アップサンプルしたＯＦＤＭ信号を直交変調するステップと、前記直交変調後の信号に対して帯域外スぺクトラムを除去して最終的なＯＦＤＭの時間波形データを得るステップよりなるソフトウェア処理により予め生成した前記波形データを記憶する波形バンク部と、高速メモリと、前記波形バンク部の記憶データを読出して前記高速メモリに記憶する記憶手段と、前記高速メモリに記憶した波形データを繰り返して読出す読出手段と、前記の読出手段により繰り返して読出される波形データをアナログ信号に変換し連続的に出力する任意波形発生手段とを具備したことを特徴とするデジタル放送の疑似信号発生装置。
【請求項２】
請求項１に記載のステップにより、異なるＯＦＤＭパラメータで生成された複数の波形データをそれぞれ記憶する複数のメモリからなる波形バンク部と、前記波形バンク部の任意のメモリを選択する波形選択手段と、前記波形選択手段により選択されたメモリの記憶データを読出す第１の読出手段と、前記第１の読出手段により読出された波形データを記憶する高速メモリと、前記高速メモリに記憶された波形データを繰り返して読出す第２の読出手段と、前記第２の読出手段により繰り返して読出される波形データをアナログ信号に変換し連続的に出力する任意波形発生手段を具備したことを特徴とするデジタル放送の疑似信号発生装置。
【発明の詳細な説明】
【０００１】
【発明の属する技術分野】
本発明は、地上デジタル放送波の伝送性能を確認するためにデジタル放送疑似信号を発生するデジタル放送疑似信号発生装置に関する。
【０００２】
【従来の技術】
地上デジタル（テレビジョン）放送（ＩＳＤＢ−Ｔ：Terrestrial Integrated Services Digital Broadcasting）は、２００３年から関東、近畿及び中京広域圏で、また、２００６年までにその他の地域で本放送開始が予定されている。
【０００３】
このため共聴用機器、ＣＡＴＶ伝送機器、ＴＶ受信機等では、既に地上デジタル放送波の伝送に対応した機器の検討や開発が進められている。すなわち、伝送路は複数の地上デジタル放送信号を伝送しなければならず、また、受信機は複数の地上デジタル放送信号を受信して目的の１波を正常に受信しなければならない。このため最終的には実際に複数の地上デジタル放送波を受信伝送した地上デジタル放送波伝送性能の確認が必要であり、地上デジタル放送開始後の電波発射状況をシミュレートした信号が必要になる。
【０００４】
地上デジタル放送開始後の電波発射状況をシミュレートした複数の地上デジタル放送波を生成するには、現在、以下の３つの方法が考えられる。
【０００５】
（１）  地上デジタル放送変調器を複数台用意する。
【０００６】
（２）  図１０に示すように１台の地上デジタル放送変調器（ＯＦＤＭ（Orthogonal Frequency Division Multiplex：直交周波数分割多重）変調器）１の出力を、複数のＲＦコンバータ（周波数コンバータ）２によりそれぞれ設定チャンネルの周波数に変換して出力する。
【０００７】
（３）  東京パイロット実験協議会が発射している地上デジタル試験放送を受信し、複数の周波数コンバータで複数の周波数に変換して出力する。
【０００８】
【発明が解決しようとする課題】
上記３つの方法によって地上デジタル放送波伝送性能の確認試験を行なうことができるが、次のような問題がある。
【０００９】
上記（１）の方法は最も理想的であるが、実際の放送用変調器を複数台使用するので非常に高価になる。
【００１０】
（２）の方法は、１台の地上デジタル放送変調器１の出力を複数のＲＦコンバータ２で周波数変換するので、その出力信号は複数の同期した同一スペクトルの信号、すなわち、シンボルのタイミングや変調まで全く同じ信号となり、地上デジタル放送開始後の実際の電波発射状況と異なってしまい、実際の状況に即した試験ができない。
【００１１】
（３）の方法は、空中に発射された電波を受信するので、場所によって安定度やＣ／Ｎ比（Carrier to Noise ratio）が異なる等の問題がある。
【００１２】
本発明は上記の課題を解決するためになされたもので、安価に構成でき、かつ、実際の状況に即した試験を行なうことができるデジタル放送疑似信号発生装置を提供することを目的とする。
【００１３】
【課題を解決するための手段】
第１の発明に係るデジタル放送の疑似信号発生装置は、ランダムデータをＱＰＳＫあるいはＱＡＭ変調したＯＦＤＭ信号のキャリアを複素数データとするステップと、前記各キャリアを逆フーリエ変換して複素数の時間波形データとして出力するステップと、前記時間波形データに対し、ＯＦＤＭシンボル期間の後端部におけるキャリア波形をＯＦＤＭシンボルの前端にカードインターバルとして付加するステップと、前記ガードインターバルを付加したＯＦＤＭ信号を４倍の周波数にアップサンプルするステップと、前記アップサンプルしたＯＦＤＭ信号を直交変調するステップと、前記直交変調後の信号に対して帯域外スぺクトラムを除去して最終的なＯＦＤＭの時間波形データを得るステップよりなるソフトウェア処理により予め生成した前記波形データを記憶する波形バンク部と、高速メモリと、前記波形バンク部の記憶データを読出して前記高速メモリに記憶する記憶手段と、前記高速メモリに記憶した波形データを繰り返して読出す読出手段と、前記の読出手段により繰り返して読出される波形データをアナログ信号に変換し連続的に出力する任意波形発生手段とを具備したことを特徴とする。
【００１４】
また、第２の発明に係るデジタル放送の疑似信号発生装置は、前記第１に発明に記載のステップにより、異なるＯＦＤＭパラメータで生成された複数の波形データをそれぞれ記憶する複数のメモリからなる波形バンク部と、前記波形バンク部の任意のメモリを選択する波形選択手段と、前記波形選択手段により選択されたメモリの記憶データを読出す第１の読出手段と、前記第１の読出手段により読出された波形データを記憶する高速メモリと、前記高速メモリに記憶された波形データを繰り返して読出す第２の読出手段と、前記第２の読出手段により繰り返して読出される波形データをアナログ信号に変換し連続的に出力する任意波形発生手段を具備したことを特徴とする。
【００１５】
上記のようにデジタル放送疑似信号波形データを波形バンク部に予め記憶し、この波形バンク部に記憶したデータに基づいて連続した波形データを発生することにより、安価に構成することができる。また、波形バンク部に複数の波形データを記憶して任意に選択できる構成とすることにより、各チャンネル別に異なる波形のデジタル放送疑似信号を発生でき、実際の状況に即した試験を行なうことができる。
【００１６】
【発明の実施の形態】
以下、図面を参照して本発明の実施形態を説明する。
【００１７】
（第１実施形態）
図１は、本発明の第１実施形態に係るデジタル放送疑似信号発生装置の全体の構成を示すブロック図である。図１において、１１は任意波形発生部で、クロック生成部１２から４×５１２／６３ＭＨｚ（３２．５０７９３６…ＭＨｚ）のクロックが入力される。上記任意波形発生部１１は、上記クロックに同期して波形バンク部１３に対するアドレスを生成し、このアドレスにより波形バンク部１３から波形データを読出して高速の内部メモリに記憶し、この内部メモリに記憶した波形データを繰り返し読出して次段のＩＦコンバータ１４に出力するもので、その詳細については後述する。
【００１８】
上記クロック生成部１２は、内部に例えば水晶振動子等の１０ＭＨｚのクロックを発生する発振素子１７を備え、この発振素子１７のクロックと外部から入力される１０ＭＨｚの外部基準信号とを任意に切換えて使用できるようになっている。
【００１９】
クロック生成部１２は、１０ＭＨｚの外部基準信号あるいは発振素子１７の出力信号に基づいて４×５１２／６３ＭＨｚ（３２．５０７９３６…ＭＨｚ）のクロックと５１２／６３＋３７．１５ＭＨｚ（４５．２７６９８４…ＭＨｚ）のクロックを生成し、４×５１２／６３ＭＨｚ（３２．５０７９３６…ＭＨｚ）のクロックを任意波形発生部１１に入力し、５１２／６３＋３７．１５ＭＨｚ（４５．２７６９８４…ＭＨｚ）のクロックをＩＦコンバータ１４に局部発振信号として入力する。
【００２０】
波形バンク部１３は、複数のメモリ例えば１６個のＥＰＲＯＭを備え、各ＥＰＲＯＭにそれぞれデジタル放送疑似信号波形データすなわちＯＦＤＭ（Orthogonal Frequency Division Multiplex：直交周波数分割多重）信号を予め登録している。上記各ＥＰＲＯＭに登録するＯＦＤＭ信号は、モード、ガードインターバル、変調方式について、ＩＳＤＢ−Ｔ（Terrestrial Integrated Services Digital Broadcasting：地上デジタル放送）の仕様に準拠し、ランダムデータで変調された複数のシンボルからなっている。この各ＥＰＲＯＭに登録するＯＦＤＭ信号の生成方法については詳細を後述する。また、波形バンク部１３における１６個のＥＰＲＯＭは、フロントパネル部１５に設けた１６個の波形選択ボタンによって選択できるようになっている。
【００２１】
上記フロントパネル部１５の波形選択ボタンが操作されると、対応するＥＰＲＯＭが選択され、このＥＰＲＯＭが任意波形発生部１１によりアドレス指定されて予め登録されている波形データが読出される。
【００２２】
任意波形発生部１１は、波形バンク部１３から読出した波形データを高速の内部メモリに記憶した後、この内部メモリから繰り返して読出し、順次Ｄ／Ａ変換して中心周波数５１２／６３ＭＨｚ（８．１２６９８５…ＭＨｚ）の信号を生成し、ＩＦコンバータ１４に入力する。ＩＦコンバータ１４は、任意波形発生部１１から入力される中心周波数５１２／６３ＭＨｚ（８．１２６９８５…ＭＨｚ）の信号とクロック生成部１２からの局部発振周波数５１２／６３＋３７．１５ＭＨｚ（４５．２７６９８４…ＭＨｚ）の信号との差をとり、３７．１５ＭＨｚを中心とするＩＦ周波数（中間周波数）に変換してＲＦコンバータ１６に出力する。
【００２３】
また、ＲＦコンバータ１６には、１０ＭＨｚの外部基準信号及びチャンネル設定信号が入力される。ＲＦコンバータ１６は、内部にクロック生成部を備えている。このクロック生成部は、上記図１におけるクロック生成部１２と同様に、内部発振素子による１０ＭＨｚのクロックと外部から入力される１０ＭＨｚの外部基準信号とを任意に切換えて必要な同期クロックを生成している。
【００２４】
ＲＦコンバータ１６は、内部のクロック生成部で生成した同期クロックに同期して動作し、ＩＦコンバータ１４から入力されるＩＦ信号をチャンネル設定信号に従って指定ＴＶチャンネルの周波数に変換し、デジタル放送疑似信号として出力する。
【００２５】
ＲＦコンバータ１６におけるチャンネル設定、すなわち、９０ＭＨｚから７７０ＭＨｚまでの周波数を使用する有線テレビジョン放送の搬送波の周波数は、９３ＭＨｚから７６７ＭＨｚまで、例えば９３ＭＨｚ、９９ＭＨｚ、１０５ＭＨｚ、…、…、７６７ＭＨｚと、６ＭＨｚの間隔で設定された周波数のうちから選定し、かつ、その周波数よりも１／７ＭＨｚ（＝１４２．８５７…ｋＨｚ）だけ高い方へずらして配置する。また、デジタル放送の標準方式の使用する周波数帯域は５．６ＭＨｚである。なお、ＲＦコンバータ１６は、上記有線テレビジョン放送法施行規則で規定された周波数と、１／７ＭＨｚを加えない周波数の切換えができるようになっている。
【００２６】
また、図２は搬送波の変調波スペクトルの許容範囲を示したものである。搬送波の周波数に対し、±２．７９ＭＨｚにおける相対減衰量は０ｄＢ、±２．８６ＭＨｚにおける相対減衰量は−２０ｄＢ、±３．００ＭＨｚにおける相対減衰量は−２７ｄＢ、±４．３６ＭＨｚにおける相対減衰量は−５０ｄＢとなっている。
【００２７】
図３は、波形バンク部１３の各ＥＰＲＯＭに登録するＯＦＤＭ信号の生成方法について示したものである。図３において、２１はランダムデータ生成／マッピング手段で、例えば数値演算ソフトのランダム関数を用いてランダムデータを生成する。また、ランダムデータ生成／マッピング手段２１では、上記ランダムデータにより例えばＱＰＳＫ変調あるいはＱＡＭ変調し、デジタル放送疑似信号のキャリアとして出力する。このキャリアは、複素数のデータ（Ｒｅ：実数、Ｉｍ：虚数）として出力される。
【００２８】
上記ランダムデータ生成／マッピング手段２１から出力されるキャリアは、逆フーリエ変換（ＩＦＦＴ）手段２２により、複素数の時間波形データとして出力される。
【００２９】
上記逆フーリエ変換手段２２で時間波形生成後、ガードインターバル付加手段２３により、ＯＦＤＭシンボルの後端部をＯＦＤＭシンボルの前端にガードインターバルとして付加する。このガードインターバルを付加することで、ＯＦＤＭ信号のスぺクトラムが広がるので、スぺクトラム制限手段２４により、デジタルＬＰＦにて帯域外スぺクトラムを除去する。
【００３０】
上記スぺクトラム制限手段２４で帯域外スぺクトラムを除去した信号を４倍アップサンプル手段２５にて４倍の周波数にアップサンプルし、４倍アップサンプルフィルタ２６を介して取り出す。これは最終的に５１２／６３ＭＨｚ（８．１２６９８５…ＭＨｚ）の中心周波数の信号を得るための処理である。
【００３１】
そして、４倍アップサンプルフィルタ２６の出力信号を直交変調手段２７で直交変調し、中心周波数が５１２／６３ＭＨｚ（８．１２６９８５…ＭＨｚ）のＯＦＤＭ信号（時間波形）を得ている。直交変調手段２７は、sin 及びcos の信号を局部発振周波数の信号として使用し、直交変調する。この直交変調後の信号に対し、スぺクトラム制限手段２８により帯域外スぺクトラムを除去し、最終的なＯＦＤＭの時間波形信号として取り出し、上記波形バンク部１３に記憶する。
【００３２】
上記ＯＦＤＭ信号の生成では、ランダムデータ生成／マッピング手段２１等において、ＩＳＤＢ−Ｔに準拠したＯＦＤＭパラメータを設定し、複数種類の波形信号を生成し、波形バンク部１３に設けられている複数の不揮発性メモリ例えばＥＰＲＯＭ１３１に登録する。従って、ＥＰＲＯＭ１３１を選択することによって任意の波形を選択することができる。
【００３３】
ＩＳＤＢ−Ｔに準拠したＯＦＤＭパラメータは、
キャリア変調方式：ＤＰＱＳＫ、ＱＰＳＫ、１６ＱＡＭ、６４ＱＡＭ、
キャリア数：Ｍｏｄｅ １：１４０５本、Ｍｏｄｅ ２：２８０９本、Ｍｏｄｅ３：５６１７本、
ガードインターバル：１／３２、１／１６、１／８、１／４、
となっている。また、シンボル数は、Ｍｏｄｅ １でガードインターバルが１／３２のとき「３１シンボル」、Ｍｏｄｅ ３でガードインターバルが１／４のとき「６シンボル」である。
【００３４】
波形バンク部１３に登録するＯＦＤＭ信号は、ＩＳＤＢ−Ｔに完全に準拠する必要はないが、例えばＭｏｄｅ、ＦＦＴ周期、変調方式、ガードインターバル長についてＩＳＤＢ−Ｔに準拠することで、振幅特性の特徴をＩＳＤＢ−ＴのＯＦＤＭ信号と同様にする。
【００３５】
図４は、波形バンク部１３のＥＰＲＯＭに登録するＯＦＤＭ信号として１２種類のパターンを生成する場合のパラメータ設定例について示したものである。すなわち、モード３種類（Ｍｏｄｅ １〜Ｍｏｄｅ ３）、キャリア変調方式２種類（ＱＰＳＫ、６４ＱＡＭ）、ガードインターバル２種類（１／３２、１／４）を組み合わせて１２種類の信号パターンを設定している。
【００３６】
上記波形バンク部１３におけるＥＰＲＯＭとして４Ｍbitのメモリを使用すれば、ＯＦＤＭ信号（Ｍｏｄｅ １、ガードインターバル１／３２）を３１シンボル出力することができる。
【００３７】
次に、図１における任意波形発生部１１を中心とする主要部の詳細な構成について図５を参照して説明する。
【００３８】
任意波形発生部１１は、コントロールロジック１１１、高速メモリであるＳＲＡＭ１１２、Ｄ／Ａ変換器１１３、及びＬＰＦ１１４からなり、クロック生成部１２で生成された４×５１２／６３ＭＨｚ（３２．５０７９３６…ＭＨｚ）のクロックがコントロールロジック１１１に入力される。波形バンク部１３に登録するＯＦＤＭ信号は、図３の４倍アップサンプル手段２５で４倍にアップサンプルされているので、クロック生成部１２では、データサンプリングクロックとして、４×５１２／６３ＭＨｚ（３２．５０７９３６…ＭＨｚ）のクロックを生成している。任意波形発生部１１は、波形バンク部１３のＥＰＲＯＭ１３１に対するデータの読出し制御を行なうと共に、ＳＲＡＭ１１２に対するデータの書込み／読出し制御を行なう。
【００３９】
波形バンク部１３のＥＰＲＯＭ１３１としては、例えば２５６ｋＷｏｒｄのものを使用する。２５６ｋＷｏｒｄのＥＰＲＯＭ１３１を使用した場合、Ｍｏｄｅ１で、３１〜２５シンボル、Ｍｏｄｅ ２で１５〜１２シンボル、Ｍｏｄｅ ３で７〜６シンボル登録できる。上記ＥＰＲＯＭ１３１に登録できるシンボル数は、ガードインターバルのサイズによって変化する。
【００４０】
ＥＰＲＯＭ１３１のアクセスタイムは１５０ｎｓｅｃ程度であり、読出し最大速度は最大６．７ＭＨｚまでである。このためＥＰＲＯＭ１３１からは、４×５１２／６３ＭＨｚ（３２．５０７９３６…ＭＨｚ）の速度で読出すことができないので、コントロールロジック１１１はＥＰＲＯＭ１３１に登録されたＯＦＤＭ信号をＳＲＡＭ１１２にコピーし、このＳＲＡＭ１１２からＤ／Ａ変換器１１３に出力している。ＳＲＡＭ１１２のアクセスタイムは１５ｎｓｅｃで６６．７ＭＨｚまでの速度で読出すことが可能である。
【００４１】
従って、コントロールロジック１１１は、ＥＰＲＯＭ１３１のデータを読出すときは遅いクロックで、例えば４×５１２／６３ＭＨｚ（３２．５０７９３６…ＭＨｚ）のサンプリングクロックを１／１６に下げてアドレスを生成し、ＳＲＡＭ１１２をアクセスするときは４×５１２／６３ＭＨｚのサンプリングクロックを使用する。
【００４２】
コントロールロジック１１１は、図１のフロントパネル部１５の波形選択ボタンが押されてＥＰＲＯＭ１３１が選択されたときにアドレスを生成し、上記選択されたＥＰＲＯＭ１３１から登録データを読出してＳＲＡＭ１１２に書込む。その後は、ＳＲＡＭ１１２に記憶したデータを繰り返し読出してＤ／Ａ変換器１１３に入力する。Ｄ／Ａ変換器１１３は、４×５１２／６３ＭＨｚ（３２．５０７９３６…ＭＨｚ）のサンプリングクロックでＤ／Ａ変換して出力する。この変換出力には、８．１２７ＭＨｚ（５１２／６３ＭＨｚ）を中心とするＯＦＤＭ信号と、そのイメージである２４．３８１ＭＨｚの信号が含まれる。このためＤ／Ａ変換器１１３の出力信号をＬＰＦ１１４に入力し、２４．３８１ＭＨｚのイメージ信号を１０ｄＢ以上抑圧してＩＦコンバータ１４に出力する。
【００４３】
ＩＦコンバータ１４は、ＩＦミキサ１４１、ＳＡＷフィルタ１４２、及びアンプ１４３からなり、クロック生成部１２で生成された５１２／６３＋３７．１５ＭＨｚ（４５．２７６９８４…ＭＨｚ）の局部発振周波数の信号が入力される。
【００４４】
ＩＦミキサ１４１は、Ｄ／Ａ変換器１１３からＬＰＦ１１４を介して出力される８．１２７ＭＨｚのＯＦＤＭ信号を３７．１５ＭＨｚを中心とするＩＦ周波数の信号に変換する。ＩＦミキサ１４１で変換されたＩＦ周波数の信号には、図６の周波数スぺクトラムに示すように３７．１５ＭＨｚを中心とする３４．３７〜３９．９３ＭＨｚのＩＦ周波数と、５３．４０４ＭＨｚを中心とする５０．６２〜５６．１８ＭＨｚの周波数のイメージ信号が含まれるので、このイメージ信号をＳＡＷフィルタ１４２により除去する。
【００４５】
ＳＡＷフィルタ１４２は、中心周波数が３７．１５ＭＨｚで５．５６ＭＨｚの帯域幅を持つＯＦＤＭ信号に対し、中心周波数が５３．４０４ＭＨｚで５．５６ＭＨｚの帯域幅を持つイメージ信号を例えば６０ｄＢ程度抑圧している。
【００４６】
上記ＳＡＷフィルタ１４２によってＯＦＤＭ信号が減衰するので、アンプ１４３により増幅し、ＩＦ周波数のＯＦＤＭ信号としてＩＦコンバータ１４より出力する。
【００４７】
上記ＩＦコンバータ１４から出力されるＯＦＤＭ信号は、図１に示したようにＲＦコンバータ１６で設定チャンネルの周波数に変換されて出力される。
【００４８】
上記のようにそれぞれ異なるパラメータにより設定されたデジタル放送疑似信号波形データを波形バンク部１３に予め記憶し、この波形バンク部１３に記憶したデータに基づいて任意波形発生部１１により連続した波形データを発生することにより、非常に簡単な構成で安価に構成することができる。また、波形バンク部１３に複数の波形データを記憶し、任意波形発生部１１により任意に選択できる構成とすることにより、各チャンネル別に異なる波形のデジタル放送疑似信号を発生でき、実際の状況に即した試験を行なうことが可能となる。
【００４９】
（第２実施形態）
次に本発明の第２実施形態について説明する。
【００５０】
図７は、本発明の第２実施形態に係るデジタル放送疑似信号発生装置の構成を示すブロック図である。この第２実施形態は、任意波形発生部１１のＳＲＡＭ１１２に書込む波形データ（ＯＦＤＭ信号）を波形バンク部１３のＥＰＲＯＭ１３１からだけでなく、メモリカードあるいはインターネットを利用して書替えできるようにしたものである。
【００５１】
図７において、３１はインターフェースコントローラで、このインターフェースコントローラ３１には、キーボード３２、表示装置３３、メモリ３４が接続されると共に、インターネットにアクセスするためのネットワークインターフェース３５及びメモリドライブ例えばメモリカードに対するメモリカードドライブ３６が接続される。このメモリカードドライブ３６は、例えばATAPI（Advanced Technology Attachment Packet Interface）の規格を用いたもので、メモリカード３７に記憶されたデータを読取ってインターフェースコントローラ３１に出力する。
【００５２】
上記メモリカード３７には、例えばＦＡＴ（File Allocation Table）１２、Ｖ−ＦＡＴ、ＦＡＴ１６、ＦＡＴ３２等のＤＯＳ互換ファイルシステムにより、複数のデジタル放送疑似信号波形データ（ＯＦＤＭ信号）がそれぞれ異なるファイル名で予め登録される。上記メモリカード３７に登録する波形データは、上記波形バンク部１３のＥＰＲＯＭ１３１に登録されている波形データと同様のものである。
【００５３】
また、ネットワークインターフェース３５は、外部の端末装置からFTP（File Transfer Protocol：ファイル転送プロトコル）によりインターネット経由で送られてくる波形データを受信し、インターフェースコントローラ３１に出力する機能を有している。
【００５４】
また、上記インターフェースコントローラ３１には、複数の疑似信号発生部４１ａ〜４１ｎが接続される。上記各疑似信号発生部４１ａ〜４１ｎは、任意波形発生部１１、ＥＰＲＯＭ１３１及びゲート回路４２からなっている。任意波形発生部１１は、第１実施形態の図５で説明したようにコントロールロジック１１１、ＳＲＡＭ１１２、Ｄ／Ａ変換器１１３及びＬＰＦ１１４からなっている。
【００５５】
上記インターフェースコントローラ３１は、疑似信号発生部４１ａ〜４１ｎのゲート回路４２にアドレス及び波形データを出力すると共に、ゲート回路４２及びコントロールロジック１１１に書込みイネーブル信号ＷＥ１〜ＷＥｎを出力する。また、インターフェースコントローラ３１は、上記コントロールロジック１１１にＨＡＬＴ信号及びＴＥＳＴ信号を出力する。
【００５６】
上記疑似信号発生部４１ａ〜４１ｎのゲート回路４２は、書込みイネーブル信号ＷＥ１〜ＷＥｎがアクティブになると、インターフェースコントローラ３１から与えられるアドレス及び波形データをコントロールロジック１１１に出力する。コントロールロジック１１１は、インターフェースコントローラ３１から与えられる書込みイネーブル信号ＷＥ１〜ＷＥｎ及びゲート回路４２を介して与えられるアドレスに従ってＳＲＡＭ１１２に対する波形データの書込み制御を行なう。
【００５７】
また、コントロールロジック１１１は、ＨＡＬＴ信号がアクティブになると信号発生動作を停止する機能を有すると共に、ＴＥＳＴ信号がアクティブになるとデジタル放送疑似信号の中心周波数を持つ正弦波、すなわち、シングルトーンの疑似信号を出力する機能を有している。
【００５８】
また、インターフェースコントローラ３１は、メモリカード３７に記憶された複数のデータファイルをキーボード３２からの指示により選択し、疑似信号発生部４１ａ〜４１ｎに任意に転送できるようになっている。上記データ転送の確認は、表示装置３３の画面上で確認することができる。
【００５９】
次に上記第２実施形態の動作を説明する。先ず、メモリカード３７を利用してＳＲＡＭ１１２に波形データを書込む場合の動作について図８に示すフローチャートを参照して説明する。図８は、インターフェースコントローラ３１の処理動作を示すフローチャートである。
【００６０】
予めメモリカード３７に対し、ＤＯＳ互換ファイルシステムにより、複数のデジタル放送疑似信号波形データ（ＯＦＤＭ信号）をそれぞれ異なるファイル名で登録しておく。
【００６１】
また、インターフェースコントローラ３１において、上記メモリカード３７に登録された複数の波形データのうち、任意波形データのファイル名をキーボード３２により選択し、所定の疑似信号発生部４１ａ〜４１ｎに転送するように設定する。このデータ転送の設定は、表示装置３３の画面上で確認しながら行なう。
【００６２】
その後、上記メモリカード３７をメモリカードドライブ３６に装着する。インターフェースコントローラ３１は、メモリカード３７がメモリカードドライブ３６に装着されると、メモリカード３７に登録されている波形データを自動的にあるいはユーザの指示に基づいて読出し、メモリ３４に一時記憶する（ステップＡ１）。インターフェースコントローラ３１は、メモリ３４に一時記憶した波形データを、予め設定されたデータ転送内容に基づいて疑似信号発生部４１ａ〜４１ｎへ転送する。
【００６３】
インターフェースコントローラ３１は、上記データ転送処理を行なう場合、先ず、データ転送先の疑似信号発生部、例えば疑似信号発生部４１ａに対する書込みイネーブル信号ＷＥ１をアクティブにする（ステップＡ２）。この結果、疑似信号発生部４１ａのゲート回路４２がオープンになると共に、コントロールロジック１１１が動作を開始し、アドレスデータをインターフェースコントローラ３１に送る。
【００６４】
インターフェースコントローラ３１は、疑似信号発生部４１ａからアドレスデータが送られてくるまで待機し（ステップＡ３）、アドレスデータが送られてくると、そのアドレスデータに従い、上記メモリ３４に一時記憶している波形データを疑似信号発生部４１ａのゲート回路４２を介してコントロールロジック１１１へ送出する（ステップＡ４）。コントロールロジック１１１は、インターフェースコントローラ３１から送られてきた波形データをアドレスデータに基づいてＳＲＡＭ１１２に書込み、その書込みを終了すると、書込み終了信号をインターフェースコントローラ３１に通知する。
【００６５】
インターフェースコントローラ３１は、疑似信号発生部４１ａから上記書込み終了通知が送られてくるまで待機し（ステップＡ５）、書込み終了通知が送られてくると、書込みイネーブル信号ＷＥ１を非アクティブの状態に戻すと共に、メモリ３４に記憶している波形データが全て疑似信号発生部４１ａ〜４１ｎへ転送されたかどうかを判断し（ステップＡ６）、未だ波形データが残っていれば上記ステップＡ２に戻り、データ転送の設定内容に従ってデータを転送する次の疑似信号発生部に対する書込みイネーブル信号ＷＥをアクティブにし、波形データの転送処理を実行する。
【００６６】
以下、同様にして波形データの転送処理が行なわれ、ステップＡ６において、全ての各疑似信号発生部４１ａ〜４１ｎに対する波形データの転送が終了したと判断されると、データ転送処理を終了する。
【００６７】
その後、疑似信号発生部４１ａ〜４１ｎは、上記第１実施形態で示したように任意波形発生部１１にて、ＳＲＡＭ１１２に登録された波形データを繰り返し読出してＤ／Ａ変換器１１３に入力し、アナログ信号に変換した後、ＬＰＦ１１４を介して図１、図５に示したＩＦコンバータ１４へ出力する。
【００６８】
上記のように疑似信号発生部４１ａ〜４１ｎのＳＲＡＭ１１２に登録する波形データをメモリカード３７を利用して容易に書替えることができ、例えばＥＰＲＯＭ１３１に予め登録した波形データのバグを修正したり、バージョンアップする場合などに容易に対応することができる。従って、波形データの書替えにより、例えば欧州のデジタル地上波テレビジョン放送であるＤＶＢ−Ｔ方式、あるいは米国のデジタル地上波テレビジョン放送であるＡＴＳＣ方式等にも容易に対応させることが可能である。また、メモリカード３７は非常に小さくて容易に携帯できるので、例えば実験室にて各種のテストを行なう場合や、遠隔地へ出張サービスする場合等においても、ＳＲＡＭ１１２に登録する波形データを容易に書替えることができる。
【００６９】
なお、以上の説明では、予めインターフェースコントローラ３１において、メモリカード３７に登録された複数の波形データのうち、任意波形データのファイル名をキーボード３２により選択して所定の疑似信号発生部４１ａ〜４１ｎに転送するように設定した場合について説明したが、データ転送の設定は行なわず、メモリカード３７の記憶データをインターフェースコントローラ３１により読出した際、そのデータファイル名を表示装置３３に表示し、ユーザがキーボード３２の操作により任意に選択して所定の疑似信号発生部４１ａ〜４１ｎに転送するようにしても良い。
【００７０】
次に、インターネットを利用してＳＲＡＭ１１２に波形データを書込む場合の動作について説明する。
【００７１】
デジタル放送疑似信号発生装置が製造会社から遠隔した場所に設置されている場合には、例えば製造会社に設置されているパーソナルコンピュータ等の端末装置からインターネットを利用して波形データを転送する。
【００７２】
上記端末装置は、予め転送しようとするデジタル放送疑似信号波形データ（ＯＦＤＭ信号）を指定のファイル名で用意し、インターネットにより転送先のデジタル放送疑似信号発生装置におけるネットワークインターフェース３５のアドレスを指定し、ＦＴＰ（File Transfer Protocol）で転送する。また、同時に端末装置は、ＦＴＰによるデータ転送命令が記述されたファイルを指定のファイル名で、インターフェースコントローラ３１内の指定のディレクトリに転送する。
【００７３】
ネットワークインターフェース３５は、端末装置からインターネット経由で送られてくる自己アドレスのデータファイルを受信し、インターフェースコントローラ３１に出力する。インターフェースコントローラ３１は、受信したデータ転送命令に従って波形データを疑似信号発生部４１ａ〜４１ｎに転送する。この場合、インターフェースコントローラ３１において、予め指定ファイル名のデータをキーボード３２の操作により選択し、所定の疑似信号発生部４１ａ〜４１ｎに転送するように設定しても良い。また、端末装置から送られてきたデータファイル名を表示装置３３に表示し、ユーザがキーボード３２の操作により選択して任意の疑似信号発生部４１ａ〜４１ｎに転送するようにしても良い。
【００７４】
疑似信号発生部４１ａ〜４１ｎは、端末装置からネットワークインターフェース３５及びインターフェースコントローラ３１を介して送られてきた波形データをＳＲＡＭ１１２に登録する。その後、各疑似信号発生部４１ａ〜４１ｎは、ＳＲＡＭ１１２に登録された波形データに基づいて疑似信号を発生する。
【００７５】
上記のように疑似信号発生部４１ａ〜４１ｎのＳＲＡＭ１１２に登録する波形データをインターネットを利用して容易に書替えることができ、上記メモリカード３７の場合と同様にＥＰＲＯＭ１３１に予め登録した波形データのバグを修正したり、バージョンアップする場合などに容易に対応することができる。特に遠隔地に設置したデジタル放送疑似信号発生装置に対して波形データを書替える場合に大きな効果を発揮することができる。
【００７６】
また、上記第２実施形態では、インターフェースコントローラ３１から出力する任意の疑似信号発生部４１ａ〜４１ｎに対するＨＡＬＴ信号をアクティブにすることで、疑似信号の発生を停止することができる。
【００７７】
また、インターフェースコントローラ３１から出力する任意の疑似信号発生部４１ａ〜４１ｎに対するＴＥＳＴ信号をアクティブにすることで、デジタル放送疑似信号の中心周波数を持つ正弦波、すなわち、シングルトーン（単一周波数）の疑似信号を出力させることができる。
【００７８】
なお、上記第２実施形態では、波形データを記憶させる記憶媒体としてメモリカード３７を用いた場合について説明したが、例えばフラッシュメモリ、ＭＯ、ＣＤ等、各種可搬型の記憶媒体を使用することができる。
【００７９】
（第３実施形態）
次に本発明の第３実施形態について説明する。
【００８０】
図９は、本発明の第３実施形態に係るデジタル放送疑似信号発生装置の構成を示すブロック図である。この第３実施形態は、上記第２実施形態の各疑似信号発生部４１ａ〜４１ｎに設けられている波形バンク部１３のＥＰＲＯＭ１３１に代えて、例えばＥＥＰＲＯＭ等の電気的にデータの再書込みが可能な不揮発性メモリ５１を使用し、この不揮発性メモリ５１に予め登録されている波形データをメモリカード３７に記憶した波形データ、あるいはインターネット経由で送られてきた波形データにより更新できるようにしたものである。上記各不揮発性メモリ５１のデータバスとアドレスバスは、コントロールロジック１１１及びゲート回路４２に接続される。また、インターフェースコントローラ３１から出力される書込みイネーブル信号ＷＥ１〜ＷＥｎは、疑似信号発生部４１ａ〜４１ｎのゲート回路４２及び不揮発性メモリ５１に与えられる。その他の構成は、第２実施形態と同様であるので、詳細な説明は省略する。
【００８１】
上記の構成において、インターフェースコントローラ３１は、データ転送処理を行なう場合、先ず、データ転送先の疑似信号発生部、例えば疑似信号発生部４１ａに対する書込みイネーブル信号ＷＥ１をアクティブにする。この結果、疑似信号発生部４１ａのゲート回路４２がオープンになり、データ転送先の不揮発性メモリ５１のデータバスとアドレスバスがゲート回路４２を介してインターフェースコントローラ３１に接続される。また、上記書込みイネーブル信号ＷＥ１により、不揮発性メモリ５１がデータの書込み可能状態になる。
【００８２】
インターフェースコントローラ３１は、上記の状態でメモリカード３７から記憶データの読出しを行ない、あるいは端末装置からインターネット経由で送られてくる波形データを受信してメモリ３４に一時記憶し、アドレスデータと波形データを疑似信号発生部４１ａのゲート回路４２を介して不揮発性メモリ５１に転送する。この結果、インターフェースコントローラ３１から転送されたアドレスデータの通りに不揮発性メモリ５１に波形データが登録される。すなわち、不揮発性メモリ５１に予め登録されている波形データが更新される。
【００８３】
以下、同様にしてインターフェースコントローラ３１は、全ての疑似信号発生部４１ａ〜４１ｎの不揮発性メモリ５１に対し、予め記憶されている波形データを更新する。
【００８４】
上記のようにして疑似信号発生部４１ａ〜４１ｎの不揮発性メモリ５１に登録された波形データは、それぞれコントロールロジック１１１により読出されてＳＲＡＭ１１２に書込まれる。その後、各疑似信号発生部４１ａ〜４１ｎは、ＳＲＡＭ１１２に書込まれた波形データに基づいて疑似信号を発生する。
【００８５】
上記第３実施形態によれば、不揮発性メモリ５１に登録した波形データは、デジタル放送疑似信号発生装置の電源をオフした場合でもそのまま保持されるので、波形データの変更がなければ再書込みを行なう必要はない。このためデジタル放送疑似信号発生装置の電源をオンした場合に、不揮発性メモリ５１に登録した波形データをコントロールロジック１１１により読出してＳＲＡＭ１１２に書込むだけで良く、インターフェースコントローラ３１を動作させる必要がないので、デジタル放送疑似信号を効率良く発生することができる。
【００８６】
なお、上記第２実施形態及び第３実施形態では、ネットワークインターフェース３５とメモリカードドライブ３６の両方を設けた場合について示したが、何れか一方のみを設けても良いことは勿論である。
【００８７】
【発明の効果】
以上詳記したように本発明によれば、それぞれ異なるパラメータにより設定されたデジタル放送疑似信号の波形データを波形バンク部に予め記憶し、この波形バンク部に記憶したデータに基づいて連続した波形データを発生するようにしたので、非常に簡単な構成で安価に構成することができる。また、波形バンク部に複数の波形データを記憶して任意に選択できる構成とすることにより、各チャンネル別に異なる波形のデジタル放送疑似信号を発生でき、実際の状況に即した試験を行なうことが可能となる。また、最初に登録した波形データをメモリカード等の記憶媒体、あるいはインターネット等を通じて書替えることができ、バージョンアップ等に容易に対応することができる。
【図面の簡単な説明】
【図１】本発明の第１実施形態に係るデジタル放送疑似信号発生装置の全体構成を示すブロック図。
【図２】同実施形態における搬送波の変調波スペクトルの許容範囲を示す図。
【図３】同実施形態における波形バンク部に登録するＯＦＤＭ信号の生成方法を示す図。
【図４】同実施形態における波形バンク部に登録するＯＦＤＭ信号のパラメータ設定例を示す図。
【図５】同実施形態における任意波形発生部を中心とする主要部の詳細な構成を示すブロック図。
【図６】同実施形態におけるＩＦコンバータのＩＦミキサによる周波数変換後のスぺクトラムを示す図。
【図７】本発明の第２実施形態に係るデジタル放送疑似信号発生装置の構成を示すブロック図。
【図８】同実施形態の処理動作を説明するためのフローチャート。
【図９】本発明の第３実施形態に係るデジタル放送疑似信号発生装置の全体構成を示すブロック図。
【図１０】従来の地上デジタル放送信号の作成例を示す図。
【符号の説明】
１１…任意波形発生部
１２…クロック生成部
１３…波形バンク部
１４…ＩＦコンバータ
１５…フロントパネル部
１６…ＲＦコンバータ
１７…発振素子
２１…ランダムデータ生成／マッピング手段
２２…逆フーリエ変換手段
２３…ガードインターバル付加手段
２４…スぺクトラム制限手段
２５…４倍アップサンプル手段
２６…４倍アップサンプルフィルタ
２７…直交変調手段
２８…スぺクトラム制限手段
３１…インターフェースコントローラ
３２…キーボード
３３…表示装置
３４…メモリ
３５…ネットワークインターフェース
３６…メモリカードドライブ
３７…メモリカード
４１ａ〜４１ｎ…疑似信号発生部
４２…ゲート回路
５１…不揮発性メモリ
１１１…コントロールロジック
１１２…ＳＲＡＭ
１１３…Ｄ／Ａ変換器
１１４…ＬＰＦ
１３１…ＥＰＲＯＭ
１４１…ＩＦミキサ
１４２…ＳＡＷフィルタ
１４３…アンプ
【図１】
0003720793.tif 000002
【図２】
0003720793.tif 000003
【図３】
0003720793.tif 000004
【図４】
0003720793.tif 000005
【図５】
0003720793.tif 000006
【図６】
0003720793.tif 000007
【図７】
0003720793.tif 000008
【図８】
0003720793.tif 000009
【図９】
0003720793.tif 000010
【図１０】
0003720793.tif 000011